(57)【要約】【課題】ノズルダンパーと温風ダンパーとの干渉を防止すること。【解決手段】実施形態に係る衛生洗浄装置は、洗浄ノズルと、ケーシングと、ノズルダンパーと、温風ダンパーとを備える。洗浄ノズルは、使用者の局部へ向けて洗浄水を吐水する。ケーシングは、湾曲した前面部を有し、洗浄ノズルが進退する第１開口部と、使用者の局部に向けて温風が吹き出される第２開口部とが前面部に形成される。ノズルダンパーは、ケーシングに取り付けられ、第１軸を中心に上下方向に回動して第１開口部を開閉する。温風ダンパーは、ケーシングに取り付けられ、第２軸を中心に上下方向に回動して第２開口部を開閉する。第１開口部および第２開口部は、ノズルダンパーおよび温風ダンパーが開いた場合に互いに干渉しないように離隔して配置される。【選択図】図８
2018028225.tif 000002
【特許請求の範囲】
【請求項１】
使用者の局部へ向けて洗浄水を吐水する洗浄ノズルと、
湾曲した前面部を有し、前記洗浄ノズルが進退する第１開口部と、前記使用者の局部に向けて風が吹き出される第２開口部とが前記前面部に形成されたケーシングと、
前記ケーシングに取り付けられ、第１軸を中心に上下方向に回動して前記第１開口部を開閉する第１開閉板と、
前記ケーシングに取り付けられ、第２軸を中心に上下方向に回動して前記第２開口部を開閉する第２開閉板と
を備え、
前記第１開口部および前記第２開口部は、
前記第１開閉板および前記第２開閉板が開いた場合に互いに干渉しないように離隔して配置されること
を特徴とする衛生洗浄装置。
【請求項２】
前記第１開口部および前記第２開口部は、
上下方向において同一の位置に配置され、
前記第１軸および前記第２軸は、
上下方向において異なる位置に配置されること
を特徴とする請求項１に記載の衛生洗浄装置。
【請求項３】
前記第１開閉板および前記第２開閉板は、
前記前面部に沿った湾曲形状であること
を特徴とする請求項１または２に記載の衛生洗浄装置。
【請求項４】
前記ケーシングは、
前記第１開口部の両端側に配置され、取付孔を有する取付部
を備え、
前記第１開閉板は、
前記取付孔に外側から挿入される取付ピンを有する腕部
を備えることを特徴とする請求項１〜３のいずれか一つに記載の衛生洗浄装置。
【請求項５】
前記腕部は、
前記第１開閉板の背面に接続される基端部と、
前記基端部および前記取付部よりも外側に配置され、前記取付ピンを有する先端部と、
前記基端部と前記先端部との間に配置された中間部と
を備えることを特徴とする請求項４に記載の衛生洗浄装置。
【請求項６】
前記第２開閉板は、
前記第２軸方向に沿って延設された補強部材
を備えることを特徴とする請求項１〜５のいずれか一つに記載の衛生洗浄装置。
【請求項７】
前記補強部材は、
前記第２軸近傍に配置されること
を特徴とする請求項６に記載の衛生洗浄装置。
【発明の詳細な説明】
【技術分野】
【０００１】
開示の実施形態は、衛生洗浄装置に関する。
【背景技術】
【０００２】
従来、使用者の局部を洗浄する局部洗浄用のノズルと、使用者の局部へ向けて温風を吹き出す温風発生装置とを有する衛生洗浄装置において、汚れの付着を抑制するために、ケーシングの前面を便器のボウル部の開口端に沿って湾曲させるものが知られている。この衛生洗浄装置は、局部洗浄用のノズルが進退する第１開口部を開閉するノズルダンパーと、温風が吹き出される第２開口部を開閉する温風ダンパーとをさらに有している。
【０００３】
この衛生洗浄装置では、ノズルダンパーと温風ダンパーとが湾曲したケーシングの前面に配置されるので、ノズルダンパーと温風ダンパーとが同時に開くと、ノズルダンパーと温風ダンパーとが干渉することがある。
【０００４】
そこで、温風ダンパーの開閉をモータにより制御し、ノズルダンパーと温風ダンパーとが同時に開かないようにする衛生洗浄装置が知られている（例えば、特許文献１参照）。この衛生洗浄装置は、例えば、温風ダンパーが開いた状態で、局部洗浄用のノズルによる洗浄の指令が出力された場合に、モータを制御して温風ダンパーを閉じた後に、ノズルダンパーを開いている。
【先行技術文献】
【特許文献】
【０００５】
【特許文献１】特開２００７−３２１４４１号公報
【発明の概要】
【発明が解決しようとする課題】
【０００６】
しかしながら、上述した従来の衛生洗浄装置は、例えば、温風ダンパーと第２開口部との間に異物が付着すると、温風ダンパーが完全には閉じないおそれがある。その状態でノズルダンパーが開くと、ノズルダンパーと温風ダンパーとが干渉するおそれがある。
【０００７】
実施形態の一態様は、ノズルダンパーと温風ダンパーとが干渉することを防止する衛生洗浄装置を提供することを目的とする。
【課題を解決するための手段】
【０００８】
実施形態の一態様に係る衛生洗浄装置は、使用者の局部へ向けて洗浄水を吐水する洗浄ノズルと、湾曲した前面部を有し、前記洗浄ノズルが進退する第１開口部と、前記使用者の局部に向けて風が吹き出される第２開口部とが前記前面部に形成されたケーシングと、前記ケーシングに取り付けられ、第１軸を中心に上下方向に回動して前記第１開口部を開閉する第１開閉板と、前記ケーシングに取り付けられ、第２軸を中心に上下方向に回動して前記第２開口部を開閉する第２開閉板とを備え、前記第１開口部および前記第２開口部は、前記第１開閉板および前記第２開閉板が開いた場合に互いに干渉しないように離隔して配置されることを特徴とする。
【０００９】
これにより、第１開閉板および第２開閉板が同時に開いた場合に、第１開閉板および第２開閉板が干渉することを防止することができる。
【００１０】
また、前記第１開口部および前記第２開口部は、上下方向において同一の位置に配置され、前記第１軸および前記第２軸は、上下方向において異なる位置に配置されることを特徴とする。
【００１１】
第１軸と第２軸とを上下方向において異なる位置に配置することで、第１開閉板および第２開閉板のうち一方の旋回範囲が相対的に小さくなり、第１開閉板と第２開閉板とが干渉しにくくなる。このため、第１軸と第２軸とを上下方向において同一の位置に配置した場合と比較して、第１開口部と第２開口部とをより近接して配置することができる。したがって、例えば、第１開口部が前面部の中心に形成される場合には、第２開口部を前面部の中心により近づけることが可能となるため、風を使用者の局部に当てやすくなり、使用者の局部を素早く乾燥させることができる。また、第１開口部および第２開口部は、上下方向において同一の位置に配置されるため、意匠性を損なうこともない。
【００１２】
また、前記第１開閉板および前記第２開閉板は、前記前面部に沿った湾曲形状であることを特徴とする。
【００１３】
これにより、前面部、第１開閉板および第２開閉板の清掃を容易に行うことができる。また、意匠性の高い衛生洗浄装置を提供することができる。
【００１４】
また、前記ケーシングは、前記第１開口部の両端側に配置され、取付孔を有する取付部を備え、前記第１開閉板は、前記取付孔に外側から挿入される取付ピンを有する腕部を備えることを特徴とする。
【００１５】
これにより、例えば、清掃時に第１軸方向に力が加わった場合に、取付ピンが取付孔から軸抜けすることを抑制することができる。したがって、第１開閉板がケーシングから脱落することを抑止することができる。
【００１６】
また、前記腕部は、前記第１開閉板の背面に接続される基端部と、前記基端部および前記取付部よりも外側に配置され、前記取付ピンを有する先端部と、前記基端部と前記先端部との間に配置された中間部とを備えることを特徴とする。
【００１７】
これにより、例えば、清掃時に第１軸方向に力が加わった場合に、腕部のたわみが抑制され、腕部とケーシングとが当接することが抑制されるため、腕部およびケーシングに掛かる負荷を抑制することができる。したがって、第１開閉板およびケーシングの劣化を抑制することができる。
【００１８】
また、前記第２開閉板は、前記第２軸方向に延設された補強部材を備えることを特徴とする。
【００１９】
これにより、例えば、清掃時に第２軸方向に力が加わった場合に、第２開閉板のたわみが抑制され、取付ピンが取付孔から軸抜けすることが抑制されるため、第２開閉板がケーシングから脱落することを抑制することができる。
【００２０】
また、前記補強部材は、前記第２軸近傍に配置されることを特徴とする。
【００２１】
これにより、第２開閉板を小さい風量で回動させて開くことができる。
【発明の効果】
【００２２】
実施形態の一態様によれば、第１開閉板および第２開閉板が開いた場合に、第１開閉板および第２開閉板が干渉することを防止することができる。
【図面の簡単な説明】
【００２３】
【図１】図１は、実施形態にかかる衛生洗浄装置が設置されたトイレ空間を示す模式斜視図である。
【図２】図２は、実施形態に係る衛生洗浄装置および大便器の模式斜視図である。
【図３】図３は、便座および蓋部を省略した衛生洗浄装置および大便器の模式斜視図である。
【図４】図４は、ケーシングの模式斜視図である。
【図５】図５は、衛生洗浄装置の一部をケーシング内から見た模式背面図である。
【図６】図６は、前面部付近を拡大した衛生洗浄装置の模式平面図である。
【図７】図７は、ノズルダンパーが開いた状態を示す衛生洗浄装置の模式斜視図である。
【図８】図８は、温風ダンパーおよびノズルダンパーが開いた場合の温風ダンパーとノズルダンパーとの関係を説明する模式図である。
【図９】図９は、図５の第１開口部付近の模式拡大図である。
【図１０】図１０は、図５の第２開口部付近の模式拡大図である。
【図１１】図１１は、ノズルダンパーが開いた状態の衛生洗浄装置を左側方から見た模式断面図である。
【図１２】図１２は、温風ダンパーを左斜め後方から見た模式背面図である。
【図１３】図１３は、図１２における温風ダンパーの模式平面図である。
【図１４】図１４は、温風ダンパーが開いた状態を示す衛生洗浄装置の模式斜視図である。
【発明を実施するための形態】
【００２４】
以下、添付図面を参照して、本願の開示する衛生洗浄装置の実施形態を詳細に説明する。なお、以下に示す実施形態によりこの発明が限定されるものではない。
【００２５】
＜１．衛生洗浄装置１の全体構成＞
まず、衛生洗浄装置１の全体構成について図１〜図３を参照して説明する。図１は、実施形態に係る衛生洗浄装置１が設置されたトイレ空間１００を示す模式斜視図である。図２は、実施形態に係る衛生洗浄装置１および大便器５の模式斜視図である。図３は、便座および蓋部３を省略した衛生洗浄装置１および大便器５の模式斜視図である。
【００２６】
なお、本明細書においては、鉛直上向き方向を「上方」、鉛直下向き方向を「下方」と記載する。また、大便器５に正対した使用者からみて大便器５の手前側を「前方」、奥側を「後方」、右側を「右側方」、左側を「左側方」と記載する。
【００２７】
図１に示すように、衛生洗浄装置１は、トイレ空間１００に配置された大便器５の上部に設けられる。大便器５は、洋式の水洗大便器であり、衛生洗浄装置１よりも後方にはタンク６が設けられる。
【００２８】
図２および図３に示すように、衛生洗浄装置１は、ケーシング２と、使用者が着座する図示しない便座と、便座を覆う蓋部３と、ケーシング２に形成された第１開口部２０を開閉するノズルダンパー７と、ケーシング２に形成された第２開口部２１を開閉する温風ダンパー８とを備える。便座および蓋部３は、ケーシング２に対して開閉自在に軸支される。ケーシング２が大便器５の上縁に設けられるリム部５０の後方側に取り付けられることにより、衛生洗浄装置１は大便器５に取り付けられる。
【００２９】
＜２．ケーシング２の構成＞
次に、ケーシング２の構成について図４〜図６を参照して説明する。図４は、ケーシング２の模式斜視図である。また、図５は、衛生洗浄装置１の一部をケーシング２内から見た模式背面図である。また、図６は、前面部２４付近を拡大した衛生洗浄装置１の模式平面図である。
【００３０】
図４に示すように、ケーシング２の上方側の側面には、便座が取り付けられる一対の便座取付孔２２と、蓋部３が取り付けられる一対の蓋部取付孔２３とが形成される。また、ケーシング２の前面部２４には、第１開口部２０と、第２開口部２１とが形成される。また、図５に示すように、ケーシング２は、一対の第１取付部２５,２５と、一対の第２取付部２６,２６とを前面部２４の背面に備える。一対の第１取付部２５，２５は、ノズルダンパー７をケーシング２に取り付けるための取付部であり、一対の第２取付部２６，２６は、温風ダンパー８をケーシング２に取り付けるための取付部である。
【００３１】
また、ケーシング２は、図７に示すように、洗浄ノズル２７を収容する筒状の洗浄室２８や、図示しない温風発生装置といった各種の機能部を内蔵する。図７は、ノズルダンパー７が開いた状態を示す衛生洗浄装置１の模式斜視図である。
【００３２】
洗浄ノズル２７は、使用者の局部を洗浄する。洗浄ノズル２７は、図示しないモータが駆動されることで、洗浄室２８とともに第１開口部２０を進退する。具体的には、モータが駆動されることで、洗浄ノズル２７はケーシング２から第１開口部２０を通ってボウル部５１（図３参照）へ進出したり、ボウル部５１から第１開口部２０を通ってケーシング２内へ後退したりする。また、洗浄ノズル２７は、モータが駆動されることで、洗浄室２８に対し進退する。
【００３３】
温風発生装置は、例えば、図示しないヒーターによって温めた空気を、図示しないファンによって吹き出し、吹き出した温風によって使用者の局部を乾燥させる。温風発生装置によって吹き出された温風は、第２開口部２１を通って使用者の局部へ吹き出される。なお、温風発生装置は、ヒーターによって空気を温めずに風を吹き出してもよい。
【００３４】
図６に示すように、ケーシング２の前面部２４は、前方側から後方側にかけて窪むように後方に湾曲している。これにより、例えば、前面部２４に汚れが付着することを抑制することができる。また、汚れが付着した際にも清掃作業を容易に行うことができる。また意匠性を高めることができる。
【００３５】
＜２−１．第１開口部２０および第２開口部２１の構成＞
第１開口部２０および第２開口部２１の構成について図４を参照して説明する。第１開口部２０は、大便器５（図３参照）の左右方向における中心線上（前面部２４の左右方向における中心線上でもある）に形成され、前後方向および下方に開口する。第１開口部２０は、洗浄ノズル２７（図７参照）が進退し、洗浄ノズル２７の進退によって洗浄ノズル２７を遮蔽するノズルダンパー７（図３および図７参照）が上下方向に回動することで開閉される。
【００３６】
第２開口部２１は、大便器５の左右方向における中心線上からずれた位置、例えば、第１開口部２０に対して左斜め前方に離隔して形成され、前後方向および下方に開口する。ケーシング２には、第１開口部２０と第２開口部２１との間に第１開口部２０と第２開口部２１とを離隔する離隔壁２９が形成される。離隔壁２９は、前面部２４の一部であり、図６に示すように、他の前面部２４と同様に湾曲している。第２開口部２１は、温風発生装置から温風が吹き出された場合に、使用者の局部に向けて温風を吹き出すように形成される。第２開口部２１は、温風ダンパー８（図７参照）が上下方向に回動することによって開閉される。
【００３７】
図４に戻り、第２開口部２１の上辺の位置は、第１開口部２０の上辺の位置に略一致する。実施形態に係るケーシング２では、第１開口部２０および第２開口部２１が上下方向において略同一の位置に配置される。これにより、意匠性を高めることができる。
【００３８】
実施形態に係るケーシング２では、第２開口部２１を第１開口部２０に対して離隔して形成し、ノズルダンパー７および温風ダンパー８が同時に開いた場合であっても、ノズルダンパー７および温風ダンパー８が干渉しないように第１開口部２０および第２開口部２１を形成している。
【００３９】
詳しくは後述するが、ノズルダンパー７および温風ダンパー８は、前面部２４の形状に合わせて湾曲しており、ともに上下方向に回動する。そして、ノズルダンパー７の回動中心である第１軸Ｏ１（図９参照）と、温風ダンパー８の回動中心である第２軸Ｏ２（図１０参照）とは、平行に設けられていない。そのため、第２開口部を第１開口部に隣接して形成すると、ノズルダンパーと温風ダンパーとが同時に開いた場合に、ノズルダンパーと温風ダンパーとが干渉するおそれがある。
【００４０】
実施形態に係るケーシング２では、ノズルダンパー７および温風ダンパー８が同時に開いた場合であっても、ノズルダンパー７および温風ダンパー８が干渉しないように第１開口部２０および第２開口部２１を形成している。
【００４１】
具体的には、第１開口部２０および第２開口部２１は、図８に示すように、温風ダンパー８が開いた場合にノズルダンパー７側の温風ダンパー８の端部８ａが、ノズルダンパー７が開閉することで形成される温風ダンパー８側のノズルダンパー７の端辺の軌跡（図８の破線）に重ならないように形成される。図８は、温風ダンパー８およびノズルダンパー７が開いた場合の温風ダンパー８とノズルダンパー７との関係を説明する模式図である。
【００４２】
これにより、ノズルダンパー７と温風ダンパー８とが同時に開いた場合であっても、ノズルダンパー７および温風ダンパー８が干渉することがない。したがって、ノズルダンパー７および温風ダンパー８が劣化することを抑制することができる。
【００４３】
＜２−２．第１取付部２５および第２取付部２６＞
つづいて、一対の第１取付部２５,２５および一対の第２取付部２６,２６の構成について図９および図１０を参照して説明する。図９は、図５の第１開口部２０付近の模式拡大図である。図１０は、図５の第２開口部２１付近の模式拡大図である。
【００４４】
図９に示すように、一対の第１取付部２５,２５は、第１開口部２０よりも上方に位置する前面部２４の背面に設けられる。各第１取付部２５は、左右方向における第１開口部２０の両端側に設けられる。一対の第１取付部２５,２５には、左右方向（第１軸Ｏ１方向）に沿って貫通し、ノズルダンパー７の第１取付ピン７１３が挿入される第１取付孔２５０がそれぞれ形成される。
【００４５】
図１０に示すように、一対の第２取付部２６,２６は、前面部２４の背面に設けられる。一方の第２取付部２６は、第１開口部２０と第２開口部２１との間に形成される離隔壁２９の背面に設けられる。もう一方の第２取付部２６は、離隔壁２９よりも左前方の前面部２４の背面に設けられる。一対の第２取付部２６,２６には、左右方向に対し、左側方を前方に向けて傾斜させた方向（第２軸Ｏ２方向）に沿って貫通し、温風ダンパー８の第２取付ピン８１０、または第３取付ピン８２０が挿入される第２取付孔２６０が形成される。
【００４６】
第２取付孔２６０は、第１取付孔２５０よりも下方に配置される。すなわち、温風ダンパー８の回動軸である第２軸Ｏ２と、ノズルダンパー７の回動軸である第１軸Ｏ１とが、上下方向において異なる位置に配置される。これにより、ノズルダンパー７および温風ダンパー８のうち一方の旋回範囲が相対的に小さくなり、ノズルダンパー７と温風ダンパー８とが干渉しにくくなる。そのため、ノズルダンパー７の第１軸Ｏ１と、温風ダンパー８の第２軸Ｏ２とを上下方向において同一の位置に配置した場合と比較して、第２開口部２１を第１開口部２０により近接して配置することができる。したがって、第２開口部２１を左右方向における前面部２４の中心（すなわち、大便器５の左右方向の中心）により近づけて配置することが可能となり、温風を使用者の局部に当てやすくなり、使用者の局部を素早く乾燥させることができる。なお、第１取付孔２５０を、第２取付孔２６０よりも下方に配置してもよい。
【００４７】
＜３．ノズルダンパー７の構成＞
次に、ノズルダンパー７の構成について図９および図１１を参照して説明する。図１１は、ノズルダンパー７が開いた状態の衛生洗浄装置１の一部を左側方から見た模式断面図である。
【００４８】
図９に示すように、ノズルダンパー７は、薄板状の第１板部７０と、ノズルダンパー７をケーシング２に取り付ける一対の第１腕部７１,７１とを備える。例えば、ノズルダンパー７は、軽量で、強度が高く、耐薬品性が高いポリプロピレン樹脂によって構成される。ノズルダンパー７は、左右方向に沿って延在する第１軸Ｏ１を中心に上下方向に回動する。
【００４９】
第１板部７０は、図６に示すように、ケーシング２の前面部２４の形状に合わせて湾曲する。第１板部７０は、例えば、前面部２４の曲率と同じ曲率の湾曲形状であり、第１板部７０の表面が前面部２４の表面と同一面上となるように形成される。これにより、第１板部７０の清掃作業、特に表面の清掃作業を容易に行うことができる。また、意匠性を高めることができる。
【００５０】
図９に戻り、一対の第１腕部７１,７１は、第１板部７０の背面に設けられる。第１腕部７１は、左右方向の両端側にそれぞれ設けられる。一対の第１腕部７１は、基端部７１０と、先端部７１１と、基端部７１０と先端部７１１との間に設けられる中間部７１２とをそれぞれ備える。
【００５１】
基端部７１０は、上下方向における第１板部７０の中央付近の背面から後方上側に向けて延設される。
【００５２】
先端部７１１は、基端部７１０およびケーシング２の第１取付部２５よりも外側に設けられ、背面視においてケーシング２と重なるように設けられる。基端部７１０およびケーシング２の第１取付部２５よりも外側とは、左右方向における第１開口部２０の中心線に対して、先端部７１１が基端部７１０および第１取付部２５よりも外側に位置する意味である。例えば、ノズルダンパー７の左側方に設けられた第１腕部７１では、先端部７１１は、基端部７１０およびケーシング２の第１取付部２５よりも左側方に設けられる。ノズルダンパー７においては、第１開口部２０の中心線に対し、この中心線に近い方を「内側」とし、中心線から遠い方を「外側」として説明する。先端部７１１は、第１取付ピン７１３と、規制部７１４とを備える。
【００５３】
第１取付ピン７１３は、先端部７１１の上方側面から内側に向けて突出する。第１取付ピン７１３は、第１取付孔２５０に外側から挿入される。第１取付ピン７１３には、上方の先端に第１面取部７１５が形成される。これにより、ノズルダンパー７をケーシング２に取り付ける際に、第１取付ピン７１３を第１取付孔２５０に容易に挿入することができ、組み立てを容易に行うことができる。なお、第１取付ピン７１３の先端の全周に第１面取部７１５が形成されてもよい。
【００５４】
図１１に示すように、規制部７１４は、第１取付ピン７１３よりも下方側であり、先端部７１１の下端側に設けられる。規制部７１４は、ノズルダンパー７が開いた場合に、第１取付ピン７１３よりも下方側のケーシング２の背面に当接し、ノズルダンパー７の開き（回動）を規制する。規制部７１４は、ノズルダンパー７が開き、ケーシング２の背面に当接する場合に、ケーシング２の背面と面接触するように形成される。これにより、規制部７１４がケーシング２に当接した場合に、接触面の応力を小さくすることができ、ケーシング２および規制部７１４の劣化を抑制することができる。
【００５５】
規制部７１４を先端部７１１の下端側に設けたが、例えば、規制部を第１取付ピン近傍に設けることも考えられる。しかし、このような構成では、ノズルダンパーが開き、規制部がケーシングの背面に当接した場合に、規制部とケーシングの背面とが当接する当接箇所と、第１取付ピンとの距離が短くなり、当接箇所とノズルダンパーの下方側端部との距離が長くなる。そのため、規制部に掛かる荷重が大きくなり、第１腕部が劣化するおそれがある。
【００５６】
実施形態に係るノズルダンパー７では、規制部７１４を先端部７１１の下端側に設けることにより、ノズルダンパー７が開き、規制部７１４がケーシング２の背面に当接した場合に、上述した比較例よりも、当接箇所と第１取付ピン７１３との距離を長く、当接箇所とノズルダンパー７の下方側端部との距離を短くすることができる。これにより、規制部７１４がノズルダンパー７の背面に当接した場合に、規制部７１４に掛かる荷重を小さくすることができ、第１腕部７１の劣化を抑制することができる。
【００５７】
実施形態に係るノズルダンパー７は、洗浄ノズル２７の進退に応じて第１軸Ｏ１を中心に上下方向に回動し、第１開口部２０を開閉する。
【００５８】
具体的には、ノズルダンパー７は、図７に示すように、洗浄ノズル２７がケーシング２からボウル部５１（図３参照）内へ進出した場合に、洗浄室２８に押され、第１軸Ｏ１を中心に上方向に回動し、第１開口部２０を開く。また、ノズルダンパー７は、洗浄ノズル２７がボウル部５１からケーシング２内へ後退した場合に、自重により、第１軸Ｏ１を中心に下方向に回動し、第１開口部２０を閉じる。
【００５９】
実施形態に係るノズルダンパー７は、第１腕部７１を外側にたわませて、第１腕部７１の先端部７１１に設けた第１取付ピン７１３を、第１取付部２５の第１取付孔２５０に外側から挿入することで、ケーシング２に取り付けられる。
【００６０】
このように、第１取付ピン７１３を外側から第１取付孔２５０に挿入することで、ノズルダンパー７に左右方向に沿って力が加えられた場合に、第１取付ピン７１３が第１取付孔２５０から抜ける軸抜けが発生することを抑制することができ、ノズルダンパー７の脱落を抑制することができる。
【００６１】
例えば、清掃時に、ノズルダンパー７に左方向へ力が加えられた場合には、右側の第１腕部７１では、第１取付ピン７１３が第１取付孔２５０に挿入される方向に力が加えられる。また、左側の第１腕部７１は、基端部７１０が第１開口部２０を形成するケーシング２の側面に当接し、ストッパーとして機能する。そして、左側の第１腕部７１では、ケーシング２からの反力により、第１取付ピン７１３が第１取付孔２５０に挿入される方向に力が加えられる。したがって、軸抜けの発生を抑制することができ、ノズルダンパー７の脱落を抑制することができる。
【００６２】
また、実施形態に係るノズルダンパー７は、第１腕部７１を基端部７１０と、先端部７１１と、中間部７１２とによって構成する。これにより、ノズルダンパー７に左右方向に沿って力が加えられた場合に、第１腕部７１のたわみを抑制することができる。したがって、軸抜けの発生を抑制することができ、ノズルダンパー７の脱落を抑制することができる。
【００６３】
また、実施形態に係るノズルダンパー７は、第１板部７０の背面に補強部材を設けずに軸抜けの発生を抑制することができ、ノズルダンパー７の脱落を抑制することができるので、第１板部７０の背面側の空間を広くすることができる。そのため、例えば、洗浄ノズル２７を洗浄する洗浄室２８を配置するスペースを広くすることができる。
【００６４】
＜４．温風ダンパー８の構成＞
次に、温風ダンパー８の構成について図１０、図１２および図１３を参照して説明する。図１２は、温風ダンパー８を左斜め後方から見た模式背面図である。また、図１３は、図１２における温風ダンパー８の模式平面図である。
【００６５】
図１０、図１２および図１３に示すように、温風ダンパー８は、第２板部８０と、第２腕部８１と、第３腕部８２と、風受け部８３と、補強部材８４とを備える。補強部材８４を除く、温風ダンパー８は、ノズルダンパー７と同様に、例えば、ポリプロピレン樹脂によって構成される。また、補強部材８４は、例えば、ポリプロピレン樹脂よりも硬いポリブチレンテレフタレート樹脂によって構成される。なお、補強部材８４を、ポリプロピレン樹脂によって構成してもよい。温風ダンパー８は、平面視において第１軸Ｏ１に対して傾斜する第２軸Ｏ２を中心に上下方向に回動する。
【００６６】
第２板部８０は、薄板状であり、図６に示すように、ケーシング２の前面部２４の形状に合わせて湾曲する。第２板部８０は、例えば、前面部２４の曲率と同じ曲率の湾曲形状であり、第２板部８０の表面が前面部２４の表面と同一面上となるように形成される。これにより、第２板部８０の清掃作業、特に表面の清掃作業を容易に行うことができる。また、意匠性を高めることができる。図１０、および図１２に戻り、第２板部８０の背面には、上下方向の中心付近に補強部材８４を下方から支持する第１支持部８００が形成される。
【００６７】
第２腕部８１は、第２板部８０の背面から左後方に向けて延設される。第２腕部８１は、ノズルダンパー７側（すなわち、右後方）の上方端部に設けられる。第２腕部８１は、図１０に示すように、第２取付部２６よりも内側に設けられる。第２取付部２６よりも内側とは、第２軸Ｏ２方向における第２開口部２１の中心線に対して、第２腕部８１が第２取付部２６よりも中心線側に位置する意味である。温風ダンパー８においては、第２開口部２１の中心線に対し、この中心線に近い方を「内側」とし、中心線から遠い方を「外側」として説明する。第２腕部８１は、第２取付ピン８１０と、第２支持部８１１とを備える。
【００６８】
第２取付ピン８１０は、第２腕部８１の側面から外側に向けて突出する。第２取付ピン８１０は、第２取付孔２６０に内側から挿入される。
【００６９】
第２支持部８１１は、第２腕部８１の側面から内側に向けて突出する。第２支持部８１１と第２板部８０の背面との間には、隙間が形成され、この隙間に補強部材８４が挿入される。
【００７０】
第３腕部８２は、第２板部８０の背面に設けられ、左前方の端部に設けられる。第３腕部８２は、上下方向における第２板部８０の中央付近の背面から斜め後方上側に向けて延設される。上方側の第３腕部８２と、第２板部８０の背面との間には隙間が形成され、この隙間に補強部材８４が挿入される。第３腕部８２は、第２取付部２６よりも内側に設けられる。第３腕部８２は、第３取付ピン８２０を備える。また、第３腕部８２には、段差部８２１が形成される。
【００７１】
第３取付ピン８２０は、第３腕部８２の側面から外側に向けて突出する。第３取付ピン８２０は、第２取付孔２６０に内側から挿入される。第３取付ピン８２０には、図１３に示すように、先端側に第２面取部８２２が形成される。これにより、温風ダンパー８をケーシング２に取り付ける際に、第３取付ピン８２０を第２取付孔２６０に容易に挿入することができ、組み立てを容易に行うことができる。なお、第３取付ピン８２０の先端の全周に第２面取部８２２が形成されてもよい。また、第２取付ピン８１０の先端に、第２面取部８２２が形成されてもよい。
【００７２】
段差部８２１は、第３取付ピン８２０が突出する第３腕部８２の内側に形成される。段差部８２１は、第２板部８０側へ窪むように形成される。
【００７３】
風受け部８３は、第２板部８０の背面の両端側に上下方向に沿って延設される。これにより、温風発生装置により吹き出された温風が第２板部８０の両端側から外側へ流れることを抑制し、少ない風量で温風ダンパー８を開くことができる。また、温風を使用者の局部に向けて効率よく吹き出すことができる。
【００７４】
補強部材８４は、温風ダンパー８の第２取付ピン８１０および第３取付ピン８２０の近傍、すなわち第２軸Ｏ２の近傍に取り付けられる。具体的には、補強部材８４は、上下方向における第２板部８０の中心線よりも上方に設けられる。これにより、温風発生装置によって吹き出される温風によって温風ダンパー８を回動させる場合に、少ない風量で温風ダンパー８を回動させて、温風ダンパー８を開くことができる。補強部材８４は、第３板部８４０と、係合部８４１とを備える。
【００７５】
第３板部８４０は、第２腕部８１の内側の壁面から第２軸Ｏ２に沿って左前方に延設される。第３板部８４０は、第２板部８０の背面に当接する。第３板部８４０は、第２板部８０に対し、右後方への移動が第２腕部８１によって規制される。
【００７６】
係合部８４１は、第３腕部８２よりも内側の第３板部８４０の背面から延設され、図１３に示すように、先端側が第３取付ピン８２０を向くように平面視においてＬ字状に形成される。係合部８４１は、第３腕部８２の段差部８２１に係合する。係合部８４１は、段差部８２１を形成する第３腕部８２の側面まで延設される。これにより、第３腕部８２、特に第３取付ピン８２０付近の第３腕部８２が内側にたわむことを抑制することができ、温風ダンパー８における軸抜けを抑制し、温風ダンパー８の脱落を抑制することができる。また、係合部８４１は、第２板部８０に対し、補強部材８４の左前方への移動を規制する。
【００７７】
補強部材８４は、第２板部８０と第２支持部８１１との間に形成された隙間および第２板部８０と第３腕部８２との間に形成された隙間に挿入され、温風ダンパー８に取り付けられる。補強部材８４は、下方側で第１支持部８００によって支持され、背面側で第２支持部８１１および第３腕部８２によって支持される。また、補強部材８４は、第２軸Ｏ２方向において、第２腕部８１および段差部８２１によって支持される。
【００７８】
実施形態に係る温風ダンパー８は、補強部材８４を設けることで、例えば、清掃時に、第２軸Ｏ２方向に沿って力が加えられた場合に、温風ダンパー８がたわむことを抑制し、温風ダンパー８における軸抜けを抑制し、温風ダンパー８の脱落を抑制することができる。
【００７９】
次に、上述した温風ダンパー８および補強部材８４を、ケーシング２に取り付ける手順について説明する。温風ダンパー８および補強部材８４を、ケーシング２に取り付ける場合、まず、温風ダンパー８をケーシング２に取り付ける。具体的には、温風ダンパー８の第２腕部８１および第３腕部８２を内側にたわませて、第２取付ピン８１０および第３取付ピン８２０を第２取付孔２６０に挿入し、温風ダンパー８をケーシング２に取り付ける。
【００８０】
その後、温風ダンパー８を開いた状態で、補強部材８４を温風ダンパー８に取り付ける。具体的には、補強部材８４の第３板部８４０を、第２腕部８１の第２支持部８１１と第２板部８０の背面との間に形成された隙間、および第３腕部８２と第２板部８０の背面との隙間に挿入し、補強部材８４を温風ダンパー８に取り付ける。
【００８１】
実施形態に係る温風ダンパー８は、温風発生装置によって吹き出される温風に応じて第２軸Ｏ２を中心に上下方向に回動し、第２開口部２１を開閉する。
【００８２】
具体的には、温風ダンパー８は、温風発生装置から温風が吹き出された場合に、第２軸Ｏ２を中心に上方向に回動し、図１４に示すように、第２開口部２１を開く。図１４は、温風ダンパー８が開いた状態を示す衛生洗浄装置１の模式斜視図である。また、温風ダンパー８は、温風発生装置から温風が吹き出されなくなると、自重により、第２軸Ｏ２を中心に下方向に回動し、第２開口部２１を閉じる。
【００８３】
実施形態に係る温風ダンパー８は、例えば、モータなどを用いずに、温風発生装置によって吹き出される温風によって温風ダンパー８を開くことができる。したがって、モータなどを用いる場合よりも、部品点数を少なくし、コストを抑制することができる。また、衛生洗浄装置１の構成をシンプルにすることができ、生産性および作業性を向上させることができる。
【００８４】
＜５．変形例＞
上述した実施形態では、補強部材８４を別部材として設けた温風ダンパー８を例に挙げて説明したが、温風ダンパー８は、第３板部８４０の背面に第２軸Ｏ２に沿って延設されたリブを補強部材８４として有する構成であってもよい。
【００８５】
また、上述した実施形態では、第３腕部８２に段差部８２１を設け、第３腕部８２側の補強部材８４に係合部８４１を設けた場合を例に挙げて説明したが、段差部８２１を第２腕部８１に設け、第２腕部８１側の補強部材８４に係合部８４１を設けた構成であってもよい。また、第２腕部８１および第３腕部８２に段差部８２１を設け、第２腕部８１および第３腕部８２側の補強部材８４に係合部８４１を設けた構成であってもよい。
【００８６】
上述してきたように、実施形態に係る衛生洗浄装置１は、洗浄ノズル２７と、ケーシング２と、ノズルダンパー７（第１開閉板の一例）と、温風ダンパー８（第２開閉板の一例）とを備える。洗浄ノズル２７は、使用者の局部へ向けて洗浄水を吐水する。ケーシング２は、湾曲した前面部２４を有し、洗浄ノズル２７が進退する第１開口部２０と、使用者の局部に向けて温風が吹き出される第２開口部２１とが前面部２４に形成される。ノズルダンパー７は、ケーシング２に取り付けられ、第１軸Ｏ１を中心に上下方向に回動して第１開口部２０を開閉する。温風ダンパー８は、ケーシング２に取り付けられ、第２軸Ｏ２を中心に上下方向に回動して第２開口部２１を開閉する。第１開口部２０および第２開口部２１は、ノズルダンパー７および温風ダンパー８が開いた場合に互いに干渉しないように離隔して配置される。
【００８７】
したがって、実施形態に係る衛生洗浄装置１によれば、ノズルダンパー７と温風ダンパー８とが同時に開いた場合であっても、ノズルダンパー７および温風ダンパー８が干渉することを防止することができる。したがって、ノズルダンパー７および温風ダンパー８が劣化することを抑制することができる。
【００８８】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００８９】
１  衛生洗浄装置
２  ケーシング
７  ノズルダンパー
８  温風ダンパー
２０  第１開口部
２１  第２開口部
２４  前面部
２５  第１取付部
２７  洗浄ノズル
７０  第１板部
７１  第１腕部
８４  補強部材
２５０  第１取付孔
７１０  基端部
７１１  先端部
７１２  中間部
７１３  第１取付ピン
Ｏ１  第１軸
Ｏ２  第２軸
【図１】
2018028225.tif 000003
【図２】
2018028225.tif 000004
【図３】
2018028225.tif 000005
【図４】
2018028225.tif 000006
【図５】
2018028225.tif 000007
【図６】
2018028225.tif 000008
【図７】
2018028225.tif 000009
【図８】
2018028225.tif 000010
【図９】
2018028225.tif 000011
【図１０】
2018028225.tif 000012
【図１１】
2018028225.tif 000013
【図１２】
2018028225.tif 000014
【図１３】
2018028225.tif 000015
【図１４】
2018028225.tif 000016